(57)【要約】【課題】トランジスタ素子Ｔの検出端子Ｘに生じる電圧の高低の判断だけで負荷（電子ピアノ）への商用電源の遮断を検知できる電源遮断検出装置を得る。【解決手段】商用電源からの電源供給の遮断を検出する電源遮断検出装置であって、前記商用電源ＡＣに対して逆並列に接続された２個の発光ダイオードＰＤと該発光ダイオードＰＤの発光によりオン状態となるトランジスタ素子Ｔとから成るフォトカプラＰＣと、一端を直流電源Ｖccに接続し他端を前記トランジスタ素子Ｔの端子に接続する抵抗Ｒ２と、一端を前記トランジスタ素子Ｔの端子に接続し他端を接地する容量部Ｃと、前記トランジスタ素子Ｔに接続され「Ｈ」レベル又は「Ｌ」レベルを検出する検出端子Ｘを備える。【選択図】図１
2019052990.tif 000002
【特許請求の範囲】
【請求項１】
商用電源からの電源供給の遮断を検出する装置であって、
前記商用電源に対して逆並列に接続された２個の発光ダイオードと、該発光ダイオードの発光によりオン状態となるトランジスタ素子とから成るフォトカプラと、
一端を直流電源に接続し他端を前記トランジスタ素子の端子に接続する抵抗と、
前記トランジスタ素子の端子に接続される検出端子と、
前記トランジスタ素子がオン状態の時とオフ状態の時を検出する回路と、
を備えることを特徴とする電源遮断検出装置。
【請求項２】
一端を前記トランジスタ素子の端子に接続し他端を接地する容量部で前記回路を構成した請求項１に記載の電源遮断検出装置。
【請求項３】
単安定マルチバイブレータで前記回路を構成した請求項１に記載の電源遮断検出装置。
【請求項４】
前記商用電源は変圧器を介して２次側の負荷に接続され、
前記検出端子は前記負荷を制御する制御部に接続され、
前記制御部が前記検出端子の「Ｈ」レベルまたは「Ｌ」レベルにより前記負荷の電源遮断を検出して前記負荷の電源オフシーケンス処理を行う請求項１に記載の電源遮断検出装置。
【請求項５】
電源遮断を検出した場合、前記制御部は、不揮発性メモリへの書き込み作業を中止するとともに、異常電源オフのフラグを立てる機能を備えた請求項４に記載の電源遮断検出装置。
【請求項６】
前記負荷は電子ピアノであり、前記電源オフシーケンス処理はミュート処理を含む請求項４に記載の電源遮断検出装置。
【発明の詳細な説明】
【技術分野】
【０００１】
本発明は、商用電源に接続された機器（負荷）の電源遮断検出装置に関し、例えば、電子ピアノの電源オフシーケンスに適した電源遮断検出装置に関する。
【背景技術】
【０００２】
電子ピアノの電源オフを行う場合、電子ピアノに設置された電源ボタンではなく、コンセントが抜かれたような場合は、所定の手順による電源オフシーケンスのミュート動作ができず（間に合わず）、場合によってはスピーカに損傷を与える現象が生じることがあった。
また、電子ピアノの記憶部に対するデータ書き込み時にコンセントが抜かれることで、メモリ書き込みアクセス中に電源が切れ、データが壊れることがあった。
【０００３】
同種の課題を解決するための装置として、特許文献１で示される停電検出装置が提案されている。
この停電検出装置は、商用交流電源で動作しマイコン制御が行われている機器において、時刻や各種ユーザー設定データ保持を管理させている場合、いきなり停電状態になると、これらの情報が消滅したり書き換わることになるので、これらを防止するために停電を何らかの方法で素早く検知することで、バックアップ時間を長くしたり、ノイズに対する誤動作をなくすように動作させるものである。
【０００４】
この停電検出装置は、図５（特許文献１の図１に相当）に記載されるように、商用交流電源１０１で動作する機器を制御するマイコン１０５と、このマイコン１０５の電源端子１０６に商用交流電源電圧を整流して加える整流回路１０３，１０４と、マイコン１０５の停電検出端子１０７に、商用交流電源電圧をこの電圧に同期したパルス電圧に変換して印加するフォトカプラ１２０を備え、マイコン１０５によりパルス電圧を計数して商用交流電源１０１が停電状態か否かを判定するように構成されている。
また、フォトカプラ１２０の入力側には、保護ダイオード１２２が接続されている。
【先行技術文献】
【特許文献】
【０００５】
【特許文献１】特開平１０−１０１６４号公報
【発明の概要】
【発明が解決しようとする課題】
【０００６】
しかしながら、上述した停電検出装置によれば、マイコンによりパルス電圧を計数して商用交流電源が停電状態か否かを判定するため、判定処理が煩雑になりマイコンに負荷がかかるという問題点があった。
【０００７】
本発明は、上記実情に鑑みて提案されたものであり、電圧レベルの高低の判断だけで負荷への商用電源の遮断を検知できる電源遮断検出装置を提供することを目的とする。
【課題を解決するための手段】
【０００８】
上記目的を達成するため請求項１の電源遮断検出装置は、商用電源からの電源供給の遮断を検出する装置であって、次の構成を含むことを特徴としている。
前記商用電源（ＡＣ）に対して逆並列に接続された２個の発光ダイオード（ＰＤ）と、該発光ダイオード（ＰＤ）の発光によりオン状態となるトランジスタ素子（Ｔ）とから成るフォトカプラ（ＰＣ）。
一端を直流電源（Ｖcc）に接続し、他端を前記トランジスタ素子（Ｔ）の端子に接続する抵抗（Ｒ２）。
前記トランジスタ素子（Ｔ）の端子に接続される検出端子（Ｘ）。
前記トランジスタ素子がオン状態の時とオフ状態の時を検出する回路。
【０００９】
請求項２の電源遮断検出装置は、請求項１の電源遮断検出装置において、
一端を前記トランジスタ素子の端子に接続し他端を接地する容量部（Ｃ）で前記回路を構成したことを特徴としている。
【００１０】
請求項３の電源遮断検出装置は、請求項１の電源遮断検出装置において、
単安定マルチバイブレータ（３）で前記回路を構成したことを特徴としている。
【００１１】
請求項４の電源遮断検出装置は、請求項１の電源遮断検出装置において、
前記商用電源（ＡＣ）は変圧器（ＴＲＳ）を介して２次側の負荷（１）に接続し、
前記検出端子（Ｘ）は前記負荷（１）を制御する制御部（２）に接続し、
前記制御部（２）が前記検出端子（Ｘ）の「Ｈ」レベルまたは「Ｌ」レベルにより前記負荷（１）の電源遮断を検出して前記負荷の電源オフシーケンス処理を行うことを特徴としている。
【００１２】
請求項５の電源遮断検出装置は、請求項４の電源遮断検出装置において、
電源遮断を検出した場合、前記制御部（２）は、不揮発性メモリへの書き込み作業を中止するとともに、異常電源オフのフラグを立てる機能を備えたことを特徴としている。
【００１３】
請求項６の電源遮断検出装置は、請求項４の電源遮断検出装置において、
前記負荷は電子ピアノ（１）であり、前記電源オフシーケンス処理はミュート処理を含むことを特徴としている。
【発明の効果】
【００１４】
本発明の電源遮断検出装置によれば、商用電源から変圧器（ＴＲＳ）を介して２次側の負荷（１）に電源電圧が正常に供給される場合には、並列に接続された２個の発光ダイオード（ＰＤ）の発光によりトランジスタ素子（Ｔ）がオン状態となり、検出端子（Ｘ）の電圧が「Ｌ」レベルとなる。
コンセント抜き等による電源遮断が生じた場合は、並列に接続された２個の発光ダイオード（ＰＤ）からの発光が無くなるのでトランジスタ素子（Ｔ）がオフ状態となり、検出端子（Ｘ）の電圧が「Ｈ」レベルとなる。
したがって、検出端子（Ｘ）の電圧が「Ｈ」レベルか「Ｌ」レベルを検出するだけで、電源遮断を検出することができるので、電源遮断を検出して負荷（電子ピアノ）（１）の電源オフシーケンス処理（ミュート処理）を即座に行うことができる。
【００１５】
また、電源遮断を検出した場合、前記制御部（２）は、不揮発性メモリへの書き込み作業を中止するとともに、異常電源オフのフラグを立てる機能を備えることで、負荷の次回立ち上げ時に際して、フラグを検知してメモリ初期化を行うことで異常電源オフによる不都合を回避することができる。
【００１６】
負荷が電子ピアノ（１）である場合、電源遮断を検出してミュート処理を行うことによりポップノイズを防止することができる。
【図面の簡単な説明】
【００１７】
【図１】本発明の実施形態の一例に係る電源遮断検出装置を示す回路図である。
【図２】図１の電源遮断検出装置において、電源オン時に電源遮断検出を行う場合のフローチャート図である。
【図３】図１の電源遮断検出装置において、異常電源オフが生じた場合に、次回以降の電源オン時に行われるフローチャート図である。
【図４】実施形態の他の例に係る電源遮断検出装置を構成する回路の一部分を示す回路図である。
【図５】従来例に係る停電検出回路装置を示す回路図である。
【発明を実施するための形態】
【００１８】
以下、本発明の実施形態の一例に係る電源遮断検出装置について、図面を参照しながら説明する。
一実施形態に係る電源遮断検出装置は、電源スイッチＳＷを介して商用電源ＡＣから電源供給を受けている電子ピアノ（負荷）１に対して、異常発生による電源供給の遮断を検出し、電源オフシーケンス処理を施す装置である。すなわち、商用電源ＡＣは変圧器ＴＲＳを介して２次側の電子ピアノ１に接続されている。
【００１９】
電子ピアノ１は、各鍵のキーイベント情報（キーのオン・オフ）やタッチ情報（ベロシティ値）を検知する鍵盤装置、キーイベント情報やタッチ情報を生成する鍵盤インタフェース、波形データに基づいて楽音信号を出力する音源装置、Ｄ／Ａ変換回路、アナログ信号を増幅するアンプ、発音用のスピーカ等を備えるとともに、制御部２により発音制御や電源オフシーケンス処理等の各種制御が行われる。電源オフシーケンス処理には、電子ピアノ１が備える音源装置の消音（スピーカにおけるノイズ音の発生防止のためのミュート処理）が含まれる。
【００２０】
電源遮断検出装置は、商用電源ＡＣに対して逆並列に接続された２個の発光ダイオードＰＤと、発光ダイオードＰＤの発光によりオン状態となるnpn型のトランジスタ素子Ｔとから成るフォトカプラＰＣとを備えて構成されている。商用電源ＡＣに対して、逆並列に接続された２個の発光ダイオードＰＤを備えることで、商用電源ＡＣに接続中はどちらかの発光ダイオードＰＤが発光するので、トランジスタ素子Ｔは常時オン状態を維持することとなる。
【００２１】
トランジスタ素子Ｔのコレクタ側は、検出端子Ｘを有する信号入力線を介して電子ピアノ１を制御する制御部２に接続されている。トランジスタ素子Ｔのコレクタ側（信号入力線）は、抵抗Ｒ２を介して直流電源Ｖccが接続されるとともに、容量部Ｃを介して接地されている。また、トランジスタ素子Ｔのエミッタ側は接地されている。
上述の回路によれば、容量部Ｃを接続することで、トランジスタ素子Ｔがオン状態の時に検出端子Ｘが「Ｌ」レベルとなり、トランジスタ素子Ｔがオフ状態の時に検出端子Ｘが「Ｈ」レベルとなることで、トランジスタ素子Ｔがオン状態の時とオフ状態の時を検出することができる。
【００２２】
制御部２は、電子ピアノ１に対して発音制御や電源オフシーケンス処理等の各種制御を行うＣＰＵと、制御プログラムやデータ等が記憶されるＲＯＭと、処理中のデータ等を一時的に記憶するＲＡＭと、を備えて構成されている。
また、制御部２は、電源遮断を検出した場合、不揮発性メモリへの書き込み作業を中止するとともに、異常電源オフのフラグを立てる機能を備えている。
【００２３】
上述した電源遮断検出装置によれば、商用電源ＡＣから電源スイッチＳＷ及び変圧器ＴＲＳを介して２次側の電子ピアノ（負荷）１に電源電圧が正常に供給される場合には、並列に接続された２個の発光ダイオードＰＤの発光によりトランジスタ素子Ｔがオン状態となり検出端子Ｘの電圧が「Ｌ」レベルとなる。
フォトカプラＰＣに商用電源(100V〜240V)が印加されている時は、ほぼオン状態となる（交流電圧が入力するフォトカプラの場合、実際には電圧の絶対値が低い−Vf〜＋Vfの間でトランジスタ素子Ｔがオフとなり容量部Ｃに充電されるため、検出端子Ｘには充電完了までの間、「Ｌ」レベルとなる）。
フォトカプラＰＣがオン状態では制御部２のマイコンポート（割り込み端子など）へは「Ｌ」レベルが入力される。その際は、商用電源が印加されているとみなし、制御部２は通常動作を行う。
【００２４】
電源遮断検出装置において、コンセント抜き等による電源遮断が生じた場合は、並列に接続された２個の発光ダイオードＰＤからの発光が無くなるのでトランジスタ素子Ｔがオフ状態となり、検出端子Ｘの電圧が「Ｈ」レベルとなる。
電源コードがコンセントから抜かれて商用電源ＡＣによる電圧印加が無くなると、フォトカプラＰＣに電流が流れず、制御部２のマイコンポートには「Ｈ」レベルが入力される。制御部側では、これを検出してマイコン側でアンプのミュート処理を行い、不揮発性メモリへの書き込み作業を即座に停止するとともに、異常電源オフがなされたことをフラグとして不揮発性メモリに残しておく。
【００２５】
したがって、検出端子Ｘの電圧は制御部２に入力され、制御部２において、検出端子（Ｘ）の電圧が「Ｈ」レベルか「Ｌ」レベルを検出するだけで、電源遮断を検出することができる。そのため、従来例の回路（図４）のように、パルス電圧を計測することなく電圧が「Ｈ」レベルか「Ｌ」レベルか検出する簡単な構成で電源遮断を検出することができる。その結果、電子ピアノ１の電源オフシーケンス処理（ミュート処理）を即座に行うことができるので、電子ピアノ１におけるポップノイズを防止することができる。ミュート処理は、例えば、電源遮断の検知によるリレー接点開放やトランジスタによる制御等、既存の技術によって行われる。
【００２６】
上述した電源遮断検出装置における検出処理手順について、図２及び図３のフローチャートを参照して説明する。
電子ピアノの電源スイッチＳＷがオン状態となり（ステップ２０）、商用電源ＡＣから変圧器ＴＲＳを介して負荷１及びフォトカプラＰＣに電圧が供給されると、制御部２により検出端子Ｘの電圧を検出する（ステップ２１）。
検出端子Ｘの電圧が「Ｌ」レベルであれば、トランジスタ素子Ｔがオン状態でありフォトカプラＰＣに電源電圧ＡＣが正常に供給されているので、制御部２は通常動作を行う（ステップ２２）。
【００２７】
検出端子Ｘの電圧が「Ｈ」レベルであれば、トランジスタ素子Ｔがオフ状態となっているので、フォトカプラＰＣに電源電圧ＡＣが正常に供給されていないと判断し、不揮発性メモリへの書き込み作業を中止してメモリアクセス処理を中断する（ステップ２３）とともに、制御部２はミュート処理を行い（ステップ２４）、異常電源オフのフラグをメモリに書き込むことで（ステップ２５）、異常電源オフの処理（異常電源オフされたことを記録）を行う（ステップ２６）。
すなわち、フォトカプラを用いてコンセントからケーブルが抜かれたことを制御部２で迅速に検出し、電子ピアノ１の電源が切れる前に適切な処理（ミュート処理）を行うことができる。ミュート処理を行うことにより、アンプに発生するポップノイズを無くすことができる。
【００２８】
次回に電源スイッチＳＷがオンする時には（ステップ３０）、制御部２において異常電源オフのフラグが立っているかを判断し（ステップ３１）、フラグが無い場合は通常動作を行う（ステップ３２）。フラグが有る場合は、異常電源オフが生じていたので、初期化にて異常書き込み閾値をリセットした（ステップ３３）後に、通常動作が行われる（ステップ３２）。
この処理を行うことで、次回立ち上げ時にメモリ初期化を行うなど、不具合を回避することができる。異常電源オフのデータを保持する方法は、システム内で最もアクセスが早いと思われる不揮発部分にフラグを立てておく等が考えられる。
【００２９】
図４は、電源遮断検出装置の他の実施形態を示すもので、図１の容量部Ｃに代えて、単安定マルチバイブレータ３をトランジスタ素子Ｔと検出端子Ｘとの間に接続している。図４において、図１と同じ構成を採用する部分については同一符号を付している。
単安定マルチバイブレータ３は、パルスが入力される（Ｈが入力される）と一定期間パルスを出力（Ｈを出力）し、一定期間パルスが入力されないと「Ｌ」レベルが出力される回路である。
したがって、商用電源によりトランジスタ素子Ｔがオン・オフを繰り返している状態の時には、単安定マルチバイブレータ３にパルスが入力し続けられ、単安定マルチバイブレータ３の出力（検出端子Ｘ）は「Ｈ」レベルとなり、トランジスタ素子Ｔがオフ状態の時には検出端子Ｘは「Ｌ」レベルとなることで、論理レベルが図１と逆になるが、トランジスタ素子Ｔがオン状態の時とオフ状態の時を検出することができる。
そして、単安定マルチバイブレータ３の出力側に論理レベルを反転する回路を設ければ（若しくは、制御部２側での論理を反転するように設定すれば）、図１の容量部Ｃと同じように動作させることができる。
【００３０】
上述した電源遮断検出装置によれば、以下の効果を奏することができる。
（１）異常電源オフ時のポップノイズが無くなり、電子ピアノ１のスピーカへのダメージをなくすことができる。
（２）制御部２のメモリ内のデータを保護することができる。
（３）フォトカプラＰＣを使用することで電気的には１次側とアイソレートされた安全な状態で電源の状態を直接（高速に）監視することができる。
（４）電源の再立ち上げ時に異常電源オフのフラグを確認することで、適切な処理を行うことができる。
【００３１】
上述の例では負荷として電子ピアノ１を例に説明したが、アンプ及びスピーカ、書き込みデータが記憶される不揮発性メモリを備えた各種機器における電源遮断検出に適した装置として使用することができる。
【符号の説明】
【００３２】
１…電子ピアノ（負荷）、  ２…制御部、  ３…単安定マルチバイブレータ、  ＰＣ…フォトカプラ、  ＰＤ…フォトダイオード、  Ｔ…トランジスタ素子、  Ｘ…検出端子、  ＡＣ…商用電源、  Ｖcc…直流電源。
【図１】
2019052990.tif 000003
【図２】
2019052990.tif 000004
【図３】
2019052990.tif 000005
【図４】
2019052990.tif 000006
【図５】
2019052990.tif 000007